(57)【要約】  排気ガス後処理システムは、タンク、インジェクタ、供給管、ポンプ、圧力センサ、および制御モジュールを含むことができる。タンクは、適量の流体を収容することができる。インジェクタは、燃焼機関から排出された排気ガス流中に流体を噴射するように構成することができる。供給管は、タンクとインジェクタとを流体接続することができる。ポンプは、タンクからインジェクタに流体を圧送することができる。制御モジュールは、圧力センサおよびポンプと通信することができ、圧力センサからの第１および第２の測定値に基づいて、ポンプを制御することができる。第１の測定値は、ポンプが動作しているときの供給管内の第１の圧力を示すことができる。圧力センサからの第２の測定値は、ポンプが動作していないときの供給管内の第２の圧力を示すことができる。
2016536514.tif 000002
【特許請求の範囲】
【請求項１】
燃焼機関から排出された排気ガスを処理する後処理システムであって、
適量の流体を収容するタンクと、
前記燃焼機関から排出された排気ガス流中に前記流体を噴射するように構成されたインジェクタと、
前記タンクと前記インジェクタとを流体接続する供給管と、
前記タンクから前記インジェクタに前記流体を圧送するポンプと、
前記供給管に嵌まる圧力センサと、
前記圧力センサおよび前記ポンプと通信し、前記圧力センサからの第１および第２の測定値に基づいて、前記ポンプを制御する制御モジュールと、
を含み、前記第１の測定値は、前記ポンプが動作しているときの前記供給管内の第１の圧力を示し、前記圧力センサからの前記第２の測定値は、ポンプが動作していないときの前記供給管内の第２の圧力を示す、後処理システム。
【請求項２】
前記第２の測定値は、前記圧力センサと前記インジェクタとの間の鉛直高さの差を示す、請求項１に記載の後処理システム。
【請求項３】
前記制御モジュールは、前記第１および第２の圧力の合計に基づいて、前記ポンプの動作を制御する、請求項１に記載の後処理システム。
【請求項４】
前記第２の測定値は、前記供給管が前記流体で満たされたときに取得される、請求項１に記載の後処理システム。
【請求項５】
前記インジェクタと前記タンクとを流体接続する戻し管をさらに含み、前記第２の測定値は、前記戻し管に前記流体が実質的にない状態で取得される、請求項１に記載の後処理システム。
【請求項６】
前記インジェクタと前記タンクとを流体接続する戻し管をさらに含み、前記第２の測定値は、前記戻し管が前記流体で概ね満たされた状態で取得される、請求項１に記載の後処理システム。
【請求項７】
前記流体は尿素を含む、請求項１に記載の後処理システム。
【請求項８】
前記流体は炭化水素流体を含む、請求項１に記載の後処理システム。
【請求項９】
燃焼機関から排出された排気ガスを処理する後処理システムであって、適量の流体を収容するタンクと、前記燃焼機関から排出された排気ガス流中に前記流体を噴射するように構成されたインジェクタと、前記流体を前記タンクから前記インジェクタに圧送するポンプと、前記ポンプと通信し、前記インジェクタの鉛直高さに基づいて、前記ポンプを制御する制御モジュールとを含む後処理システム。
【請求項１０】
前記制御モジュールと通信し、前記タンクと前記インジェクタとを流体接続する供給管に嵌まる圧力センサをさらに含み、前記制御モジュールは、前記圧力センサから受け取ったデータに基づいて、前記ポンプを制御する、請求項９に記載の後処理システム。
【請求項１１】
前記鉛直高さは、前記圧力センサと前記インジェクタとの間の鉛直距離である、請求項１０に記載の後処理システム。
【請求項１２】
前記圧力センサから受け取るデータには、前記ポンプが動作しているときの前記供給管内の第１の圧力を示す第１の測定値と、前記ポンプが動作していないときの前記供給管内の第２の圧力を示す第２の測定値とがある、請求項１０に記載の後処理システム。
【請求項１３】
前記インジェクタと前記タンクとを流体接続する戻し管をさらに含み、前記第２の測定値は、前記戻し管に前記流体が実質的にない状態で取得される、請求項１２に記載の後処理システム。
【請求項１４】
前記インジェクタと前記タンクとを流体接続する戻し管をさらに含み、前記第２の測定値は、前記戻し管が前記流体で概ね満たされた状態で取得される、請求項１２に記載の後処理システム。
【請求項１５】
前記流体は尿素を含む、請求項９に記載の後処理システム。
【請求項１６】
前記流体は炭化水素流体を含む、請求項９に記載の後処理システム。
【請求項１７】
排気ガス後処理システム用の流体噴射システムのポンプを制御する方法であって、
前記流体噴射システムの前記ポンプとインジェクタとを接続する供給管内で、安定した目標圧力を達成するように前記ポンプを動作させることと、
前記安定した目標圧力が達成された後、前記ポンプを遮断することと、
前記供給管内の流体圧力が、前記ポンプの遮断後に安定することを可能にすることと、
前記流体圧力が安定できた後、前記供給管内で第１の流体圧力測定値を取得することと、
前記第１の流体圧力を取得した後、ポンプを動作させることと、
前記第１の流体圧力を取得した後の前記ポンプの動作中に、前記供給管内で第２の流体圧力測定値を取得することと、
前記第１および第２の流体圧力測定値に基づいて、前記ポンプの動作を制御することと、
を含む方法。
【請求項１８】
前記第１および第２の流体圧力測定値に基づいて前記ポンプの動作を制御することは、前記第１の流体圧力測定値を前記第２の流体圧力測定値に加算することを含む、請求項１７に記載の方法。
【請求項１９】
前記流体噴射システムは、前記インジェクタをタンクに流体接続する戻し管を含み、前記第２の流体圧力測定値は、前記戻し管に噴射流体が実質的にない状態で取得される、請求項１７に記載の方法。
【請求項２０】
前記流体噴射システムは、前記インジェクタをタンクに流体接続する戻し管を含み、前記第２の流体圧力測定値は、前記戻し管が噴射流体で概ね満たされた状態で取得される、請求項１７に記載の方法。
【発明の詳細な説明】
【技術分野】
【０００１】
本開示は、燃焼機関の後処理システム用の流体噴射管理システムに関する。
【背景技術】
【０００２】
このセクションは、本開示に関連し、必ずしも先行技術ではない背景情報を提示する。
【０００３】
内燃機関の動作中に、大気に排出されるＮＯｘおよび粒子状物質の量を削減するために、多数の排気ガス後処理装置が開発された。ディーゼル燃焼プロセスが実施される場合に、排気ガス後処理システムの必要性が特に生じる。ディーゼルエンジン排気ガス用の典型的な後処理システムは、１つまたは複数のディーゼル微粒子フィルタ（ＤＰＦ）、選択的接触還元（ＳＣＲ）システム（尿素インジェクタを含む）、炭化水素（ＨＣ）インジェクタ、およびディーゼル酸化触媒（ＤＯＣ）を含むことができる。
【０００４】
エンジン動作中に、尿素は、排気ガス流中の窒素酸化物を削減するために、排気ガス流中に噴射することができる。ＤＰＦは、エンジンから排出されたすすを捕捉し、粒子状物質（ＰＭ）の排出を削減する。時間とともに、ＤＰＦは満杯になり、詰まり始める。適切に機能するために、適切な再生またはＤＰＦ内の捕捉したすすの酸化が必要とされる。ＤＰＦを再生するために、フィルタに捕捉したすすを酸化させるには、排気ガス流中の酸素の量が十分であることと共に、排気ガス温度が比較的高いことが必要とされることがある。
【０００５】
ＤＯＣは、通常、熱を発生させて、すすを取り込んだＤＰＦを再生するために使用される。炭化水素（ＨＣ）が、特定のライトオフ温度で、またはそれを超えてＤＯＣに散布されると、ＨＣは酸化する。この反応は高い発熱を伴い、排気ガスは、ライトオフ中に加熱される。加熱された排気ガスは、ＤＰＦを再生するために使用される。
【０００６】
しかし、多くのエンジン動作状態において、排気ガスは、約３００℃のＤＯＣライトオフ温度を達成するほど十分に高温ではない。したがって、ＤＰＦ再生は受動的には起こらないことがある。さらに、ＮＯｘ吸着体および選択的接触還元システムは通常、適切に機能するために最小排気ガス温度を必要とする。したがって、様々な後処理装置より上流の排気ガス流を、再生と後処理装置の効率的な動作とを容易にする適切な温度まで加熱するために、バーナを設けることができる。
【発明の概要】
【発明が解決しようとする課題】
【０００７】
後処理システムは、従来から流体インジェクタ（ＨＣインジェクタおよび尿素インジェクタなど）を含んでいるが、様々に異なる車両構成に対して、排気ガス流中に噴射される流体の量をより正確に制御する流体噴射システムを提供することが望ましい。
【課題を解決するための手段】
【０００８】
このセクションは、本開示の全体的な概要を提示しており、最大範囲の、またはすべての特徴部の包括的な開示ではない。
【０００９】
一形態では、本開示は、燃焼機関から排出された排気ガスを処理するための後処理システムを提示する。後処理システムは、タンク、インジェクタ、供給管、ポンプ、圧力センサ、および制御モジュールを含むことができる。タンクは、適量の流体を収容することができる。インジェクタは、燃焼機関から排出された排気ガス流中に流体を噴射するように構成することができる。供給管は、タンクとインジェクタとを流体接続することができる。ポンプは、タンクからインジェクタに流体を圧送することができる。圧力センサは、供給管に嵌め込むことができる。制御モジュールは、圧力センサおよびポンプと通信することができ、圧力センサからの第１および第２の測定値に基づいて、ポンプを制御することができる。第１の測定値は、ポンプが動作しているときの供給管内の第１の圧力を示すことができる。圧力センサからの第２の測定値は、ポンプが動作していないときの供給管内の第２の圧力を示すことができる。当然のことながら、第１の圧力測定は、必ずしも、第２の圧力測定の前に、連続的に行われると解釈すべきでない。
【００１０】
一部の実施形態では、第２の測定値は、圧力センサとインジェクタとの間の鉛直高さの差を示す。
【００１１】
一部の実施形態では、制御モジュールは、第１および第２の圧力の合計に基づいて、ポンプの動作を制御することができる。
【００１２】
一部の実施形態では、第２の測定値は、供給管が流体で満たされたときに取得することができる。
【００１３】
一部の実施形態では、後処理システムは、インジェクタとタンクとを流体接続する戻し管を含むことができる。第２の測定値は、戻し管に流体が実質的にない状態で取得することができる。
【００１４】
一部の実施形態では、後処理システムは、インジェクタとタンクとを流体接続する戻し管を含むことができる。第２の測定値は、戻し管が流体で概ね満たされた状態で取得することができる。
【００１５】
一部の実施形態では、流体には、例えば、尿素、エタノール、メタノール、ディーゼル燃料、または任意の炭化水素流体もしくは反応物流体、あるいは排気ガスを処理するための他の任意の流体を含み得る。
【００１６】
別の形態では、本開示は、タンクおよびインジェクタと、ポンプと、制御モジュールとを含むことができる後処理システムを提示する。タンクは、適量の流体を収容することができる。インジェクタは、燃焼機関から排出された排気ガス流中に流体を噴射するように構成することができる。ポンプは、タンクからインジェクタに流体を圧送することができる。制御モジュールはポンプと通信することができ、インジェクタの鉛直高さに基づいて、ポンプを制御することができる。
【００１７】
一部の実施形態では、後処理システムは、制御モジュールと通信し、タンクとインジェクタとを流体接続する供給管に嵌まる圧力センサを含むことができる。制御モジュールは、圧力センサから受け取ったデータに基づいて、ポンプを制御することができる。
【００１８】
後処理システムは、車両に設置することができる。鉛直高さとは、圧力センサとインジェクタとの間の鉛直距離（すなわち、インジェクタと車両が置かれた地表面との間の第１の鉛直距離と、圧力センサと地表面との間の第２の鉛直距離との間の差）とすることができる。
【００１９】
一部の実施形態では、圧力センサから受け取るデータは、第１および第２の測定値を含むことができる。第１の測定値は、ポンプが動作しているときの供給管内の第１の圧力を示すことができる。第２の測定値は、ポンプが動作していないときの供給管内の第２の圧力を示すことができる。
【００２０】
一部の実施形態では、後処理システムは、インジェクタとタンクとを流体接続する戻し管を含むことができる。第２の測定値は、戻し管に流体が実質的にない状態で取得することができる。
【００２１】
一部の実施形態では、後処理システムは、インジェクタとタンクとを流体接続する戻し管を含むことができる。第２の測定値は、戻し管が流体で概ね満たされた状態で取得することができる。
【００２２】
一部の実施形態では、流体には、例えば、尿素、エタノール、メタノール、ディーゼル燃料、または任意の炭化水素流体もしくは反応物流体、あるいは排気ガスを処理するための他の任意の流体があり得る。
【００２３】
別の形態では、本開示は、排気ガス後処理システム用の流体噴射システムのポンプを制御する方法を提示する。方法は、流体噴射システムのポンプとインジェクタとを接続する供給管内で、安定した目標圧力を達成するようにポンプを動作させることを含む。ポンプは、安定した目標圧力を達成した後、遮断することができる。供給管内の流体圧力は、ポンプの遮断後に安定することができる。第１の流体圧力測定値は、流体圧力が安定できた後、供給管内で取得することができる。ポンプは、第１の流体圧力を取得した後、作動することができる。第２の流体圧力測定値は、第１の流体圧力を取得した後、ポンプの動作中に供給管内で取得することができる。ポンプの動作は、第１および第２の流体圧力測定値に基づいて制御することができる。
【００２４】
一部の実施形態では、第１および第２の流体圧力測定値に基づいてポンプの動作を制御することは、第１の流体圧力測定値を第２の流体圧力測定値に加算することを含むことができる。
【００２５】
一部の実施形態では、流体噴射システムは、インジェクタをタンクと流体接続する戻し管を含むことができる。一部の実施形態では、第２の流体圧力測定値は、戻し管に噴射流体が実質的にない状態で取得することができる。一部の実施形態では、第２の流体圧力測定値は、戻し管が噴射流体で概ね満たされた状態で取得することができる。
【００２６】
一部の実施形態では、噴射流体には、例えば、尿素、エタノール、メタノール、ディーゼル燃料、または任意の炭化水素流体もしくは反応物流体、あるいは排気ガスを処理するための他の任意の流体があり得る。
【００２７】
本明細書に提示された説明から、さらなる適用分野が明らかになるであろう。この概要における説明および特定の例は、単に例示することを意図され、本開示の範囲を限定することを意図されたものではない。
【００２８】
本明細書で説明される図面は、すべての可能な実施例ではなく、選択された実施形態を例示することのみを目的としており、また、本開示の範囲を限定することを意図されていない。
【図面の簡単な説明】
【００２９】
【図１】エンジンと、本開示の原理に従った流体噴射制御システムを有する排気ガス後処理システムとの概略図である。
【図２】図１の排気ガス後処理システムにおいて流体の噴射を制御する方法を示す流れ図である。
【発明を実施するための形態】
【００３０】
同じ参照数字は、図面のいくつかの図全体にわたって同じ要素を示している。
【００３１】
添付の図面を参照して、例示的な実施形態が以下にさらに完全に説明される。
【００３２】
例示的な実施形態は、本開示が完全であるように提示され、当業者にその範囲を十分に伝えるであろう。本開示の実施形態を完全に理解させるために、特定の構成要素、装置、および方法の例などの様々な特定の細部が説明される。特定の細部は使用される必要がなく、例示的な実施形態は多数の異なる形態で具現化でき、どれも本開示の範囲を限定すると解釈すべきでないことが当業者には明らかであろう。一部の例示的な実施形態では、公知のプロセス、公知の装置構造、および公知の技術が詳細に説明されていない。
【００３３】
本明細書で使用した用語は、特定の例示的な実施形態を説明することのみを目的とし、限定することを意図されていない。本明細書では、単数形「１つの」および「その」は、文脈から別途明示されない限り、さらに複数形を含むことを意図することができる。「含む」「含むこと」および「有すること」という用語は包括的であり、したがって、決まった特徴部、完全体、ステップ、動作、要素、および／または構成要素の存在を明示するが、１つまたは複数の他の特徴部、完全体、ステップ、動作、要素、構成要素、および／またはそれらのグループの存在または追加を排除しない。本明細書で説明する方法ステップ、プロセス、および動作は、実施する順序として具体的に特定されない限り、説明または図示した特定の順序でそれらを実施しなければならないと解釈すべきでない。追加した、または代替のステップを使用できるのも当然のことである。
【００３４】
要素または層が、他の要素または層に「載っている」、「係合している」、「連結されている」、または「接続されている」と言い表される場合に、要素または層は、他の要素または層に直接載ること、係合すること、連結されること、または接続されることが可能であるし、あるいは介在する要素または層が存在してもよい。対照的に、要素が、他の要素または層に「直接載っている」、「直接係合している」、「直接連結されている」、または「直接接続されている」と言い表される場合に、介在する要素または層は存在することができない。要素間の関係を説明する他の文言も、同様に解釈されるべきである（例えば、「〜の間に」対「〜の間に直接」、「隣接する」対「直接隣接する」など）。本明細書では、「および／または」という用語は、１つまたは複数の関連列挙物品の任意およびすべての組み合わせを含む。
【００３５】
第１の、第２の、第３のなどの用語は、様々な要素、構成要素、領域、層、および／または部分を説明するために、本明細書で使用することができ、これらの要素、構成要素、領域、層、および／または部分は、これらの用語によって限定されるべきではない。これらの用語は、１つの要素、構成要素、領域、層、または部分を他の領域または部分から区別するためだけに使用することができる。「第１の」、「第２の」などの用語、および他の数字用語は、本明細書で使用する場合、文脈によって明示されない限り、シーケンス、または順序を意味するものではない。したがって、下記に説明する第１の要素、構成要素、領域、層、または部分は、例示的な実施形態の教示から逸脱することなく、第２の要素、構成要素、領域、層、または部分と称することができる。
【００３６】
「内側」、「外側」、「〜の真下」、「〜の下」、「下側」、「〜の上」、「上側」などの空間的相対用語は、図に示した通りに、１つの要素または特徴部の他の要素または特徴部に対する関係を説明するための記述を容易にするために、本明細書で使用することができる。空間的相対用語は、図に示された向きに加えて、使用時または動作時の装置の様々な向きを包含することを意図することができる。例えば、図の装置が反転した場合、他の要素または特徴部の「下」またはの「真下」として記載された要素は、他の要素または特徴部の「上」の位置に置かれる。したがって、「〜の下」という例示的用語は、上と下の両方の向きを包含することができる。装置は、それ以外に向けることができ（９０°または他の向きに回転される）、本明細書で使用された空間的相対記述子は相応して解釈される。
【００３７】
図１は、例示的なエンジン１２から排気路１４に至る排気出力を処理する排気ガス後処理システム１０を示している。ターボチャージャ１６は、排気ガス流中に配置された被動部材（図示せず）を含む。エンジン動作中に、排気ガス流により、被動部材は回転して、圧縮空気をエンジン１２の吸気路（図示せず）に供給する。当然のことながら、排気ガス後処理システム１０は、ターボチャージャを含まない自然吸気エンジンまたは他の任意のエンジンからの排気出力を処理するために使用することもできる。
【００３８】
排気ガス後処理システム１０は、バーナ１８、炭化水素噴射システム２０、ディーゼル酸化触媒（ＤＯＣ）２２、ディーゼル排気流体（ＤＥＦ）注入システムまたは尿素噴射システム２４、１つまたは複数の混合器２６、ＳＣＲ触媒２８、ディーゼル微粒子フィルタ（ＤＰＦ）３０、および制御モジュール３２を含むことができる。バーナ１８は、排気路１４を流れるガス流を加熱するために点火できる燃料を噴射するインジェクタ（図示せず）を含むことができる。炭化水素噴射システム２０は、ＤＯＣ２２に炭化水素を散布することができ、炭化水素は、上記のように、ＤＰＦ３０を再生する（すなわち、ＤＰＦからすすを除去する）ために、熱を発生させることができる。バーナ１８は、ターボチャージャ１６から下流で、ＤＯＣ２２から上流に配置することができ、ＤＯＣ２２での熱発生反応を容易にするために、排気路１４内の排気ガスを所定の温度まで加熱するように、選択的に作動することができる。当然のことながら、後処理システム１０の特定の構成要素、ならびに炭化水素噴射システム２０および／または尿素噴射システム２４に対するこれらの構成要素の配置は、上記の、および図１に示す構成から変えることができる。当然のことながら、本開示の原理は、そのような変形版に適用可能である。
【００３９】
炭化水素噴射システム２０は、第１のタンク３４、第１のポンプ３６、第１のインジェクタ３８、第１の供給管４０、第１の戻し管４２、および第１の圧力センサ４４を含むことができる。第１のタンク３４は、適量の炭化水素流体を収容することができる。第１のポンプ３６は、第１のタンク３４から第１の供給管４０を介して第１のインジェクタ３８に炭化水素流体を圧送することができる。第１のインジェクタ３８に圧送された炭化水素流体の第１の部分は、第１のインジェクタ３８を通り、排気路１４内の排気ガス流に流れ込むことができる。第１のインジェクタ３８に圧送された炭化水素流体の第２の部分は、第１の戻し管４２を通って第１のタンク３４に戻ることができる。第１の圧力センサ４４は、第１の供給管４０に沿って配置することができ、第１の供給管４０内の流体圧力を測定し、圧力測定値を制御モジュール３２に送ることができる。これらの測定値は、連続的にか、間欠的にか、または要求に応じて、第１の圧力センサ４４により作成および伝送することができる。
【００４０】
尿素噴射システム２４は、第２のタンク４６、第２のポンプ４８、第２のインジェクタ５０、第２の供給管５２、第２の戻し管５４、および第２の圧力センサ５６を含むことができる。第２のタンク４６は、適量の尿素を収容することができる。第２のポンプ４８は、第２のタンク４６から第２の供給管５２を介して第２のインジェクタ５０に尿素を圧送することができる。第２のインジェクタ５０に圧送された尿素の第１の部分は、第２のインジェクタ５０を通り、排気路１４内の排気ガス流に流れ込むことができる。第２のインジェクタ５０に圧送された尿素の第２の部分は、第２の戻し管５４を通って第２のタンク４６に戻ることができる。第２の圧力センサ５６は、第２の供給管５２に沿って配置することができ、第２の供給管５２内の流体圧力を測定し、圧力測定値を制御モジュール３２に送ることができる。これらの測定値は、連続的にか、間欠的にか、または要求に応じて、第２の圧力センサ５６により作成および伝送することができる。一部の実施形態では、第２のポンプ４８は、第２のインジェクタ５０を浄化または清浄するために、水および／または空気を第２のインジェクタ５０に圧送することもできる。
【００４１】
制御モジュール３２は、例えば、１つまたは複数のソフトウェアまたはファームウェアプログラムを実行する特定用途向け集積回路（ＡＳＩＣ）、電子回路、プロセッサ（共有、専用、またはグループ）、および／またはメモリ（共有、専用、またはグループ）、ならびに／あるいは組み合わせロジック回路、ならびに／あるいは説明した機能を提供する他の適切な構成要素を含む、またはそれらの一部とすることができる。制御モジュール３２は、１つまたは複数の他の車両システムを制御する制御ユニットの一部とする、または制御ユニットを含むことができる。あるいは、制御モジュール３２は、排気ガス後処理システム１０に専用の制御ユニットとすることができる。制御モジュール３２は、炭化水素噴射システム２０および／または尿素噴射システム２４と通信し、それらの動作を制御することができる。制御モジュール３２は、下記にさらに詳細に説明するように、圧力センサ４４、５６から受け取ったデータに少なくとも部分的に基づいて、ポンプ３６、４８の動作を制御することができる。
【００４２】
ここで図１および図２を参照して、第１のインジェクタ３８と第１の圧力センサ４４との間の第１の鉛直高さの差と、第２のインジェクタ５０と第２の圧力センサ５６との間の第２の鉛直高さの差とを考慮して、炭化水素噴射システム２０および／または尿素噴射システム２４を制御する方法１００が説明される。炭化水素噴射システム２０および尿素噴射システム２４は、複数の異なる車両の任意のものに設置することができる。所与の車両上の１つまたは複数のインジェクタ３８、５０および圧力センサ４４、５６の（車両が置かれた地面を基準とした）鉛直位置は、別の車両上の１つまたは複数のインジェクタ３８、５０および圧力センサ４４、５６の鉛直位置とは異なることがある。方法１００を利用して、制御モジュール３２は、排気ガス後処理システム１０を設置できる任意の車両での第１のインジェクタ３８と第１の圧力センサ４４との間の高さの差、および／または第２のインジェクタ５０と第２の圧力センサ５６との間の鉛直高さの差に対処することができる。
【００４３】
炭化水素噴射システム２０の制御を校正するために行われる方法１００のステップは、尿素噴射システム２４の制御を校正するために行われるステップと同様または同一とすることができる。当然のことながら、方法１００は、炭化水素噴射システム２０および尿素噴射システム２４に対して同時に行うことができるし、または方法１００は、システム２０、２４の一方に対してのみ行うこともできる。
【００４４】
方法１００のステップ１１０で、制御モジュール３２は、供給管４０、５２内の圧力が所定の値で安定するまで、ポンプ３６、４８を動作させる（すなわち、流体をインジェクタ３８、５０に向かって圧送する）ことができる。制御モジュール３２は、圧力センサ４４、５６から受け取った圧力データに基づいて、圧力が所定の値で安定したと判断することができる。圧力データは、制御モジュール３２に連続的に、または間欠的に送ることができる。圧力が所定の値で安定した後、制御モジュール３２は、ステップ１２０で、ポンプ３６、４８を遮断する（または圧送を中止する）ことができる。
【００４５】
ステップ１３０で、制御モジュール３２は、ステップ１２０でポンプ３６、４８を遮断した後、供給管４０、５２内の圧力が安定するのを待つことができる。ステップ１４０で、制御モジュール３２は、供給管４０、５２が、ポンプ３６、４８の遮断後に安定した圧力値を、制御モジュール３２に付属するメモリに記録することができる。
【００４６】
ステップ１５０で、制御モジュール３２は、ステップ１４０で記録した圧力値を、ポンプ３６、４８が動作しているときに圧力センサ４４、５６から受け取るその後の圧力データに加えることができる。すなわち、システム２０、２４の通常の動作時に、制御モジュール３２は、ポンプ３６、４８の動作を制御する（例えば、ポンプ３６、４８が、後処理システム１０に作用する所望の効果を達成するために動作する持続時間および／または回転速度を調整する）ために、圧力センサ４４、５６からの圧力データを利用することができる。システム２０、２４の通常の動作時に、制御モジュール３２は、ステップ１４０で記録した圧力の値に等しい量だけ、圧力センサ４０、５２から受け取った圧力データを調整する。ステップ１４０で記録し、ステップ１５０で加える補正値は、インジェクタ３８、５０と圧力センサ４４、５６との間の鉛直高さの差に対応する圧力水頭に一致することができる。
【００４７】
例えば、インジェクタ３８、５０が、車両が置かれた地面から離れて、圧力センサ４４、５６よりも鉛直方向に高く配置された場合に、制御モジュール３２は、ポンプ３６、４８が動作しているときに、ステップ１５０で、ステップ１４０で記録した補正値を圧力センサ４４、５６から受け取るその後の圧力データに加算することができる。したがって、制御モジュール３２が、システム２０、２４の通常動作時に、所望の量の流体を排気ガス流中に噴射するのに、インジェクタ３８、５０での流体圧力は（例えば）５５０ｋＰａが望ましいと判断した場合に、（例えば、ステップ１４０で測定および保存された静水頭圧値が１００ｋＰａであると仮定すると）制御モジュール３２は、圧力センサ４４、５６での流体圧力を６５０ｋＰａとすることを目標として、ポンプ３６、４８を制御することができる。すなわち、圧力センサ４４、５６とインジェクタ３８、５０との間の、供給管４０、５２内の流体の静水頭圧が１００ｋＰａである構成に対して、インジェクタ３８、５０での流体圧力は、圧力センサ４４、５６での流体圧力が６５０ｋＰａの場合に５５０ｋＰａである。
【００４８】
方法１００は、インジェクタ３８、５０と圧力センサ４４、５６との間の鉛直距離が当初から既知であることも、制御モジュール３２の記憶装置に手作業で入力されることも必要なしに、この鉛直距離を把握して、噴射システム２０、２４の制御を自動的に校正する手段を提供する。すなわち、上記の方法１００は、特定の車両構造に対して、制御モジュール３２に入力される個別の校正値を有する必要なく、インジェクタ３８、５０および圧力センサ４４、５６を有し、それらの間に様々な異なる鉛直空間を有する様々な車両の任意のもので実施することができる。
【００４９】
戻し管４２、５４が流体で概ね満たされた場合に、ステップ１４０で記録する補正値がより正確に求められるかどうか、または戻し管４２、５４に流体が実質的にない場合に、ステップ１４０で記録する補正値がより正確に求められるかどうかを実験的に判定することができる。後者がより正確な補正値をもたらすと判明した場合、制御モジュール３２は、インジェクタ３８、５０にエネルギを供給して、大気圧が、戻し管４２、５４内の流体をタンク３４、４６に押し戻すことによって、戻し管４２、５４を空にするのを可能にする。戻し管４２、５４を空にするこのステップは、ステップ１２０の後で、ステップ１３０の前またはステップ１３０中に実施することができる。
【００５０】
後処理システム１０は、炭化水素噴射システム２０および尿素噴射システム２４を含むとして上記に説明され、方法１００は、炭化水素噴射システム２０および／または尿素噴射システム２４を制御する方法であるとして上記に説明されたが、当然のことながら、本開示の原理は、排気ガスを後処理するために、他の任意のタイプの流体を排気ガス流中に噴射する排気ガス後処理システムの噴射システムに適用可能である。例えば、本開示の原理は、バーナ１８内で着火を行うために、バーナ１８内に燃料を噴射する噴射システムに適用可能である。したがって、システム１０および方法１００は、本開示のシステムおよび方法の例示的な実施形態を示すために、炭化水素噴射システム２０および尿素噴射システム２４に関連して上記に説明されている。
【００５１】
実施形態の前述の説明は、例示および説明するために提示された。実施形態は、それに尽きることも、本開示を限定することも意図されていない。特定の実施形態の個々の要素または特徴は、通常、その特定の実施形態に限定されるのではなくて、具体的に図示または説明していなくても、適用可能な場合に、選択された実施形態において交換可能であり、使用することができる。上記の個々の要素または特徴は、様々な方法で変更することもできる。そのような変更は、本開示からの逸脱とみなすべきではなく、そのような修正のすべては、本開示の範囲内に含まれることを意図されている。
【図１】
2016536514.tif 000003
【図２】
2016536514.tif 000004
【国際調査報告】
2016536514.tif 000005
2016536514.tif 000006